(57)【要約】      （修正有）【課題】上下の足場などから移動してくる侵入者や足場の上を移動する侵入者も精度よく検出できる工事現場の仮設足場監視システムを提供する。【解決手段】建物２３のベランダ２３ａなどに隣接して設けられる仮設足場２３に、光軸Ｌが斜めに横切るように配置される透過型の仮設足場用センサ２５，２６と、その仮設足場用センサと接続され、仮設足場用センサが侵入者を感知したとき、管理者の端末装置に無線で警報を送る管理装置と、その管理装置から警報を受け取り、音声または振動で管理者の注意を喚起する端末装置とからなる仮設足場監視システム。建物２３と仮設足場２４を連通する入り口２７がある場合は、その入り口２７を除く部分に仮設足場用センサ２５，２６を設け、入り口２７には別個の透過型の入り口用センサを設ける。【選択図】図２
0003145797.tif 000002
【実用新案登録請求の範囲】
【請求項１】
工事現場の仮設足場への侵入を監視するシステムであって、
細長い仮設足場を、光軸が長手方向に通るように配置される透過型の仮設足場用センサと、
その仮設足場用センサと接続され、仮設足場用センサが侵入者を感知したとき、管理者の端末装置に無線で警報を送る管理装置と、
その管理装置から警報を受け取り、音声、画像または振動で管理者の注意を喚起する端末装置とを備えたことを特徴とする仮設足場監視システム。
【請求項２】
前記透過型の仮設足場センサは、光軸が仮設足場を斜めに横切るように配置されている請求項１記載の仮設足場監視システム。
【請求項３】
前記仮設足場の途中に、建物と仮設足場を連通する入り口が設けられており、その入り口の左の柱と仮設足場の左端との間、および右の柱と仮設足場の右端との間にそれぞれ光軸が通るように、前記仮設足場用センサが少なくとも２セット配置されており、
さらに前記入り口を通過する侵入者を感知する入り口用センサが設けられており、
その入り口用センサが前記管理装置に接続されている、請求項１または２記載の仮設足場監視システム。
【請求項４】
前記入り口用センサが、光軸が入り口の左右の柱の間を通るように配置される少なくとも２セットの透過型センサを備えている請求項３記載の仮設足場監視システム。
【考案の詳細な説明】
【技術分野】
【０００１】
本考案はビルやマンションなどの外装工事やメンテナンス工事などに使用される仮設足場への侵入を監視する仮設足場監視システムに関する。
【背景技術】
【０００２】
特許文献１には、仮設足場や屋上に侵入者検出センサを設けると共に、作業者に認知信号を送信する携帯型発信器を携帯させ、管理機器で侵入者検出センサからの信号を受信したとき、所定時間内に携帯型発信器から作業者の認知信号を受け取らない場合は、不審者であると判断する工事現場防犯システムが開示されている。そして仮設足場に設ける侵入者検出センサとして、シート式のフットスイッチを採用している。また、赤外線センサ、超音波センサ、光電センサ、圧力センサなどでもよいとされている。この仮設足場用の侵入者検出センサは、仮設足場を通ってベランダなどに侵入する不審者を検出するものである。
【０００３】
さらに特許文献１には、屋上の４隅のうち、対角線上の２隅に発光ダイオードなどの発光素子を備えた発光部を配置し、他の２隅にフォトトランジスタなどの受光素子を配置することにより、屋上の周囲を光線で囲むように侵入者検出センサを設けたシステムが提案されている。この屋上用の侵入者検出センサは、仮設足場から屋上へ入り込み、さらに室内に入り込む不審者を検出するものである。
【特許文献１】特開２００５−３１８３１、図１、図７
【考案の開示】
【考案が解決しようとする課題】
【０００４】
特許文献１のシート式のフットスイッチや圧力センサは、設置が容易で、太陽光による誤作動がないという利点がある反面、検出範囲が狭いという問題がある。すなわち、このようなセンサは、比較的幅が狭い仮設足場を通る侵入者を、特定の通過位置に設けたセンサで検出しようとするものである。そのため、上または下の足場から移動してくる侵入者を検出することはできず、細長い足場の全体をカバーするには多数のセンサを設置する必要がある。他方、屋上用のセンサのように、光線式のセンサを光軸が手すりや柵と平行になるように配置する場合は、少ない個数で広い範囲を検出できる。しかし光軸を仮設足場の手すりに沿うように設けても、普通に足場の上を通過する者は検出できない。
【０００５】
本考案は、設置が容易で、上下の足場などから移動してくる侵入者の検出にも、また、普通に足場の上を移動する侵入者の検出にも適する工事現場の仮設足場監視システムを提供することを技術課題としている。さらに本考案は、仮設足場と建物とを連通する入り口を備えている仮設足場に好適に採用しうる仮設足場監視システムを提供することを課題としている。
【課題を解決するための手段】
【０００６】
本考案の工事現場の仮設足場監視システム（請求項１）は、工事現場の仮設足場への侵入を監視するシステムであって、細長い仮設足場を、光軸が長手方向に通るように配置される透過型の仮設足場用センサと、その仮設足場用センサと接続され、仮設足場用センサが侵入者を感知したとき、管理者の端末装置に無線で警報を送る管理装置と、その管理装置から警報を受け取り、音声または振動で管理者の注意を喚起する端末装置とからなることを特徴としている。
【０００７】
このような仮設足場監視システムにおいては、前記透過型の仮設足場センサが、光軸が仮設足場を斜めに横切るように配置されているものが好ましい（請求項２）。
【０００８】
さらに  前記仮設足場の途中に、建物と仮設足場を連通する入り口が設けられている場合は、その入り口の左の柱と仮設足場の左端との間、および右の柱と仮設足場の右端との間にそれぞれ光軸が通るように、前記仮設足場用センサが少なくとも２セット配置されており、さらに前記入り口を通過する侵入者を感知する入り口用センサが設けられており、その入り口用センサが前記管理装置に接続されている仮設足場監視システムが好ましい（請求項３）。
【０００９】
前記入り口用センサは、光軸が入り口の左右の柱の間を通るように配置される少なくとも２セットの透過型センサを備えているものが好ましい（請求項４）。
【考案の効果】
【００１０】
本考案の仮設足場監視システム（請求項１）は、光線透過検出型の仮設足場用センサが、細長い仮設足場に沿って光軸が通るように配置されているので、侵入者が上下の仮設足場や屋上などから仮設足場を横切るように侵入する場合は、侵入者がどの位置から入っても光軸を遮る。そのため、広い範囲で侵入者を検出することができる。また、仮設足場の幅は比較的狭いため、侵入者が普通に足場上を移動する場合にも、侵入者が光軸を遮り、侵入者がいること検出することができる。仮設足場用センサが侵入者を感知すると、その信号が管理装置に送られ、管理装置がさらに管理者の端末装置に警告を送り、端末装置が音声または振動で管理者の注意を喚起する。それにより管理者は工事現場に戻ったり監視カメラなどを通じて状況を確認することができる。
【００１１】
前記透過型の仮設足場センサが、光軸が仮設足場を斜めに横切るように配置されている場合（請求項２）は、仮設足場を普通に移動している者が途中で光軸を通過する。そのため、仮設足場の幅がある程度広い場合でも、確実に検出することができる。また、仮設足場がかなり長い場合は、このような光軸が斜めに横切る透過型センサを２セット以上設けることにより、それぞれの光軸の長さを短くすることができ、安定して検出することができる。
【００１２】
前記仮設足場の途中に、建物と足場を連通する入り口が設けられており、その入り口の左および右の柱と仮設足場の支柱との間にそれぞれ光軸が通るように、前記仮設足場用センサが少なくとも２セット配置されており、さらに前記入り口を通過する侵入者を感知する入り口用センサが設けられており、その入り口用センサが前記管理装置に接続されている場合（請求項３）は、入り口を通過する者の検出を一層確実に行うことができる。すなわち、このような入り口がある場合は、侵入者はその入り口から入ろうとするのが通常であるので、この部位の検出力を高くすることにより、監視能力を向上させることができる。
【００１３】
前記入り口用センサが、光軸が入り口の左右の柱の間を通るように配置される少なくとも２セットの透過型センサを備えている場合（請求項４）は、入り口を通過する者をさらに確実に感知することができる。
【考案を実施するための最良の形態】
【００１４】
つぎに図面を参照しながら本考案の監視システムの実施形態を説明する。図１は本考案の監視システムの一実施形態を示すブロック図、図２はその監視システムにおける仮設足場用センサおよび入り口用センサの実施形態を示す平面図、図３は図２の入り口用センサの立面図、図４および図５は本考案に関わる仮設足場用センサの他の実施形態を示す平面図である。
【００１５】
図１に示す監視システム１０は、工事現場から離れた現場事務所など、工事現場の管理者が常駐する場所に配置される管理装置１１と、その管理装置と有線あるいは無線で接続されている仮設足場用センサ１２と、管理装置１１と携帯電話回線を介して接続されている端末装置１３と、入り口用センサ１４と、監視カメラ１５とからなる。符号１６は監視部であり、仮設足場用センサ１２や入り口用センサ１２からのＯＮ／ＯＦＦ信号を、各センサの位置、とくにセンサを設置している階を特定する信号（番地）と共に構内ネットワーク（有線ＬＡＮ）１７に乗せるためのデータに変換するものである。管理装置１１は、インターネット網１８に接続が可能なコンピュータによって構成している。
【００１６】
監視部１６と管理装置１１とは、無線の構内ネットワーク（無線ＬＡＮ）１９を介して接続されている。監視カメラ１５は監視部１６を通さずに、無線の構内ネットワーク１９を介して管理装置１１に接続している。それにより管理装置１１のモニタで画像を把握することができる。さらに画像データは、インターネット網１８を介して監視統括サーバ２０に蓄積し、端末装置１３からアクセスして、画像情報を見ることができるようにしている。なお、図１の実施形態では、管理装置１１が工事現場から離れた場所に設置されているが、工事現場の建物内に設置してもよく、その場合は入出力変換器を介してセンサ１２、１４からの信号を直接管理装置１１に取り込むようにすることもできる。
【００１７】
管理装置１１のコンピュータは、仮設足場用センサ１２および入り口用センサ１４からの信号を受け取る信号入力部、インターネット接続をするための接続部、プログラムおよびデータを記憶する記憶部（メモリ、ハードディスク）、外部からの信号のデータに基づき、データを処理する中央演算装置、画像を表示するモニタ、キーボードやマウスからなる入力装置などを備えている。
【００１８】
コンピュータに、移動電話回線に接続可能な電話機を直接接続し、インターネットを経由せずに、管理者が携帯する端末装置１３に警報信号を送るようにすることもできる。端末装置１３としては、携帯電話機（ＰＨＳを含む）など、無線通信が可能な電話機であるが、移動電話回線に接続可能な固定電話機でもよい。端末装置１３は、通常の携帯電話機のほか、専用の携帯端末機器などを用いてもよい。
【００１９】
仮設足場用センサ１２は、図２に示すように、改装工事などを行っているマンションやビルなどの建物２３を取り囲むように設けられる仮設足場２４のうち、ベランダ２３ａに隣接する仮設足場２４に設置される。符号２３ｂは、建物内の通路である。この通路２３ｂが外部に開放されている場合は、この通路２３ｂに面する仮設足場２４にも仮設足場用センサ１２を設ける。仮設足場２４は、建物２３の周囲に建てられる多数の支柱と、それらの支柱の間に架設される梁ないし桁と、副数本の桁によって支持される板状のものである。支柱は通常は１階分の長さを有する。上下の支柱同士、支柱と桁、桁と仮設足場２４とは、それぞれ金具によって固定される。仮設足場２４は各階ごとに設けられるので、仮設足場用センサ１２も、各階に対応する仮設足場２４ごとに設ける。仮設足場２４は比較的幅が狭く長いため、仮設足場用センサ１２としては反射式ではなく、発光装置２５と受光装置２６のセットからなる透過式の光センサが用いられる。
【００２０】
この実施形態では、仮設足場２４の途中に、ベランダ２５と仮設足場２４を連通する入り口２７が設けられている。入り口２７は、図３に示すように、左右の柱２８、２９と、それらの柱の上部を連結する梁３０とからなる。図２に示すように、発光装置２５はたとえば仮設足場の左右のコーナ部の突き当たりの壁面３１にそれぞれ配置する。この実施形態では、仮設足場２４の幅方向の中心部に対応する位置に配置している。中央に壁面３１を設けない場合は、その位置に対応する仮設足場用の支柱、あるいは外側のコーナ位置の支柱に取付ける。左端および右端の発光装置２５に対応する左側および右側の受光装置２６は、前述の入り口２７の左右の柱２８、２９にそれぞれ外向きに固定している。すなわち、受光装置２６は、仮設足場２４に沿って発光装置２５から離れた位置で、建物側（ベランダ側）に配置される。それにより、発光装置２５から受光装置２６に向けて放射される光の光軸Ｌは、仮設足場２４を斜めに横切る形となる。
【００２１】
上記の透過型センサは、発光装置２５と受光装置２６を４０ｍ程度離して配置しても検出できるが、この実施形態では上記のように入り口２７を除く部分にそれぞれ１セットずつ用いており、発光装置２５と受光装置２６の距離は１０〜３０ｍは程度である。そのため、検出の精度が高い。入り口２７を設けない場合は１セットだけでもよい（図４参照）。なお、建物が大きく、片側で４０ｍを越える場合は、片側に２セット以上、連続するように配置する（図５参照）。
【００２２】
さらにこの実施形態では、図３に示すように、入り口２７を通過する者を検出する入り口用センサとして、入り口２７の左の柱２９に内向きに設けた発光装置３２と、右の柱３０に内向きに設けた受光装置３３とからなる透過型の入り口用センサ１４を採用している。さらに上下に光軸Ｌ１、Ｌ２が通るように、２セットのセンサを上下に離して配置して入り口用センサ１４を構成している。この場合、両方の光軸Ｌ１、Ｌ２が遮られたときに、図１の管理装置１１の中央演算装置が侵入者があると判断する。そのため、ネコなどの小動物あるいは鳥がいずれか片側の光軸Ｌ１、Ｌ２を遮っても侵入者であると判断しない。そのため、侵入者を感知する制度が高く、誤認を避けることができる。入り口用センサは上下に３セット以上配置してもよい。なお、入り口用センサは、検出する領域が狭いため、反射型の光センサを用いることもできる。さらに接触型のフットスイッチや圧力スイッチを用いることもでき、それらを組み合わせたり、さらにはそれらと透過型センサとを組み合わせたりすることもできる。
【００２３】
つぎに上記のように構成される仮設足場監視システム１０の作用を説明する。工事が行われている昼間では、多数の作業者や管理者が現場にいるので、図１の監視システム１０は解除しておく。そして夜間、作業者も管理者もいなくなるときに、監視システムを作動させる。それにより、侵入者が外部から仮設足場２４に入り込むと、仮設足場用センサ１２の光軸Ｌが遮断される。また仮設足場２４に入り込んだ侵入者が入り口１７からベランダ２４へ入ろうとすると、入り口用センサ１４の光軸Ｌ１、Ｌ２が遮断され、感知することができる。そしてこれらのセンサ１２、１４のＯＮ／ＯＦＦ信号は図１の監視部１６でＬＡＮ用の信号に変換され、管理装置１１に伝えられる。そしてインターネット網１９を経由して、管理者の携帯電話機などの端末装置１３にメールなどにより警報が送られる。それにより管理者が現場に赴き、あるいは監視統括サーバ２０にアクセスして、画像情報によって状況を確認し、必要に応じて警察に連絡する。さらに管理者は画像情報で現場の状況を確認管理者が委託された警備会社の者であるときは、巡回している警備員のうち近くにいる者に連絡し、急行させる。
【００２４】
端末装置１３に送られる警報には、具体的な状況、たとえば侵入されたと思われる階を特定する情報を入れる。数カ所の工事現場がある場合、どの工事現場からの警報かを情報として入れる。それらの情報は、たとえば、携帯電話のメールを利用すればよい。監視装置の解除および作動は、階ごとに行うことができる。また、入り口１７の近くに管理者がいるときは、仮設足場用センサ１３のみ作動させ、入り口用センサ１４を解除することもできる。入り口１７にシャッターや鍵がかかる扉が設けられている場合も、入り口用センサ１４を解除しておくことができる。
【００２５】
図２の実施形態の場合、入り口１７を挟んで左右に１セットずつ仮設足場用センサ１３を配置しているが、入り口１７を設けない場合は、あるいは入り口１７を設ける場合でも、１基の仮設用足場２４に対して仮設足場用センサ１３を１セットだけ配置してもよい。１セットだけ用いる場合は、たとえば図４に示すように、発光装置２５は仮設足場２４の左端で、幅方向における建物から離れた側の支柱などに取付け、受光装置２６は仮設足場２４の右端で、幅方向における建物に近い側の支柱あるいはベランダの柵などに取付ける。それにより、光軸Ｌは仮設足場２４を斜めに横切るように延びることになる。したがって外部から仮設足場２４に入り込もうとする侵入者を広い範囲で感知することができ、しかも普通に仮設足場２４を移動する侵入者を感知することもできる。
【００２６】
また、幅が狭い仮設足場の場合は、想像線で示すように、光軸Ｌ´が仮設足場２４のほぼ中心線に沿って平行に延びるように、左側の突き当たりの壁面３１の中間部に配置した発光装置２５と、右側の突き当たりの壁面３１の中間部に配置した受光装置２６とを組み合わせてもよい。この場合も侵入者は光軸Ｌ´を遮らないように移動したり、外部から入ってくることが困難であるので、ほぼ確実に侵入者を感知することができる。さらに発光装置２５から受光装置２６に延びる光軸Ｌは、水平面に沿って延びるようにするほか、上下方向に斜めに延びるようにすることもできる。前述のいずれの実施形態でも同様である。
【００２７】
仮設足場２４がセンサが検出可能な距離より２倍以上長い場合など、１セットの仮設足場用センサ１４でまかなえない場合は、２セット以上の発光装置２５と受光装置２６の組み合わせを、各セットの間にできるだけ隙間ができないように配置する。この場合も、たとえば図５に示すように、発光装置２５を仮設足場２４の建物から離れた側に配置し、その発光装置２５から放射される光を受ける受光装置２６は建物に近い側に設け、光軸Ｌが仮設足場２４を斜めに横切るようにする。そしてその受光装置２６に隣接して、次のセットの受光装置２６ａを配置し、その受光装置２６ａに光を放射する発光装置２５ａは建物から離れた側に配置し、光軸Ｌが仮設足場２４を斜めに横切るようにする。受光装置２６、２６ａ同士を隣接させるのは、配線をまとめやすいためである。ただし受光装置２６に隣接して、次のセットの発光装置２５ａを配置することもできる。
【００２８】
前記いずれの実施形態においても、発光装置２５、２５ａと受光装置２６、２６ｂを逆にして配置することができる。たとえば、発光装置２５を建物２３に近い側に配置し、受光装置２６を建物２３から離れた側に配置することもできる。また、入り口１７を挟んで片側では発光装置２５を建物から離れた側に配置し、反対側では発光装置２５を建物に近い側に配置することもできる。
【図面の簡単な説明】
【００２９】
【図１】本考案の監視システムの一実施形態を示すブロック図である。
【図２】その監視システムにおける仮設足場用センサおよび入り口用センサの実施形態を示す平面図である。
【図３】図２の入り口用センサの立面図である。
【図４】本考案に関わる仮設足場用センサの他の実施形態を示す平面図である。
【図５】本考案に関わる仮設足場用センサのさらに他の実施形態を示す立面図である。
【符号の説明】
【００３０】
１０  監視システム
１１  管理装置
１２  仮設足場用センサ
１３  端末装置
１４  入り口用センサ
１５  監視カメラ
１６  監視部
１７  有線の構内ネットワーク
１８  インターネット網
１９  無線の構内ネットワーク
２０  監視統括サーバ
２３  建物
２３ａ  ベランダ
２３ｂ  通路
２４  仮設足場
２５  発光装置
２６  受光装置
２７  入り口
２８、２９  柱
３０  梁
３１  壁面
Ｌ  光軸
３２  発光装置
３３  受光装置
Ｌ１、Ｌ２  光軸
２５ａ  次のセットの発光装置
２６ａ  次のセットの受光装置
【図１】
0003145797.tif 000003
【図２】
0003145797.tif 000004
【図３】
0003145797.tif 000005
【図４】
0003145797.tif 000006
【図５】
0003145797.tif 000007